(57)【要約】【課題】  遊戯装置の内部の制御機器に対する不正行為を容易、迅速かつ確実に発見できるため、遊戯装置の不正行為を未然に防止する封印機構を提供する。【解決手段】  遊戯装置の内部に収納されている、制御機器１０の基盤１１を収納したケース１２を緊縛するための紐体１５とこの紐体１５のロック機構２０を構成し、上記ロック機構２０を、紐体の端部を装着する紐体装着部２１とこの紐体装着部２１と嵌合して紐体１５を締結する係合部３１とで構成し、かつ係合部３１の一端に暗号３６を記載したラベル３５を固定した。【選択図】図５
2007111337.tif 000002
【特許請求の範囲】
【請求項１】
遊戯装置の内部に収納された制御機器を緊縛するための緊縛手段と、この緊縛手段の縛り目をロックするロック機構を構成し、このロック機構には暗号を記載してなる封印機構。
【請求項２】
上記緊縛手段を紐体によって構成し、上記ロック機構を、上記紐体の端部を装着する紐体装着部と、この紐体装着部に嵌合して紐体をロックする係合部によって構成し、上記係合部に暗号を記載したラベルを固定したことを特徴とする請求項１記載の封印機構。
【請求項３】
上記緊縛手段とロック機構を一体に構成したことを特徴とする請求項１記載の封印機構。
【発明の詳細な説明】
【技術分野】
【０００１】
本発明は、封印機構に関するものであり、特に遊戯装置等の制御部に使用する封印機構に関するものである。
【背景技術】
【０００２】
従来より、ゲーム台等の遊戯装置の制御部に使用されているＲＯＭを基盤より外して他の不正なＲＯＭと差し替える不正行為を防止する方法として、特許文献１に記載されているように基盤のケースをシールで封印する方法が提案されていた。
【０００３】
この封印方法によれば、支持体、剥離剤層、ホログラム層、蒸着層、粘着剤層、セパレータの順に積層してなるホログラムシートと、脆性材料、粘着材層、セパレータの順に積層してなる脆性シールの２枚一組とした封印シールを、封緘部に重ねて貼り付けてなるものである。
シールを剥がす不正行為が行なわれるとホログラム層が簡単に壊れその不正行為の痕跡を留めることができるのである。
【特許文献１】特開２００１−２２８８００
【０００４】
上記の方法では、シールの製作に複雑な作業が要求される上に、ＲＯＭが熱を帯びるため耐熱性の材質を使用しなくてはならず、さらにはシールでケースを封印する際に、狭い基盤の上で他のＲＯＭやメモリー等の電子部品に注意しながらシールしなくてはならないという問題点があった。
【０００５】
そのため、基盤のケースを紐体で締結して封印する方法を行なわれていたが、紐体が市販の製品であったため、切断してケースを開けてＲＯＭを交換した後に再び紐体で締結しても不正行為が行なわれたかどうかの判別ができなかった。
【発明の開示】
【発明が解決しようとする課題】
【０００６】
本発明は上記の点に鑑みなされたものであり、遊戯装置の内部の制御機器に対する不正行為を容易、迅速かつ確実に発見できるため、遊戯装置の不正行為を未然に防止できる封印機構を提供することを目的とする。
【課題を解決するための手段】
【０００７】
本発明の要旨とするところは、遊戯装置の内部に収納された制御機器を緊縛するための緊縛手段と、この緊縛手段の縛り目をロックするロック機構を構成し、このロック機構には暗号を記載してなる封印機構である。
【０００８】
また本発明の要旨とするところは、上記緊縛手段を紐体によって構成し、上記ロック機構を、上記紐体の端部を装着する紐体装着部と、この紐体装着部に嵌合して紐体をロックする係合部によって構成し、上記係合部に暗号を記載したラベルを固定したことを特徴とする封印機構である。
【０００９】
また本発明の要旨とするところは、上記緊縛手段とロック機構を一体に構成したことを特徴とする封印機構である。
【発明の効果】
【００１０】
不正行為を行なう場合、行為者は緊縛手段を切断して制御機器内部のＲＯＭ、あるいはコード等に不正な行為を加えるが、その後切断された緊縛手段で制御機器を元のように緊縛することはできない。そのため、行為者は予め用意した別の緊縛手段によって制御機器やコードを緊縛する。
この場合、本発明は上記の構成であるから、ロック機構に記載された暗号を判別することによって、行為者が用意した別の封印機構が最初の封印機構と異なることが直ちに判明する。そのため、緊縛手段を切断して制御機器に加えられる不正行為が容易かつ確実に判明し、これらの不正行為に対して迅速に対応できるため、不正行為が未然に防止できるのである。
【００１１】
また、上記緊縛手段を切断が困難な紐体で作成した場合には、不正行為がさらに困難となり防止効果が大きくなる。
また上記緊縛手段とロック手段を一体に構成した場合には、構成が簡易であり、主として小型の制御機器やコード類の封印に適している。
【発明を実施するための最良の形態】
【００１２】
本発明を実施するための最良の形態は、遊戯装置の内部に収納されている、制御機器を収納したケースを緊縛するための紐体とこの紐体をロックするためのロック機構を構成する。
上記ロック機構を、上記紐体を巻装して装着する紐体装着部と、この紐体装着部と嵌合して紐体の縛り目を締結する係合部とで構成し、かつ係合部の一端に暗号を記載したラベルを固定した封印機構と、緊縛手段であるベルトとロック機構を一体に構成してコード等を縛る封印機構である。
【００１３】
以下、本発明の第１実施形態を図に基づいて説明する。
図１は本実施形態のロック機構の斜視図、図２はラベルの裏面図、図３及び図４はロック機構の使用状態の説明図、図５は封印機構の使用説明図及び図６は暗号の読み取り状態を示す説明図である。
【００１４】
第１実施形態のロック機構２０を図１ないし図６に示す。
ロック機構２０は、切断が困難な紐体１５を巻装する紐体装着部２１とこの紐体装着部２１と嵌合する係合部３１及びこの係合部３１に固定した暗号を記載したラベル３５からなる。上記紐体１５は、合成樹脂製の細い線体で作成している。
【００１５】
図１に示すように、紐体装着部２１は下端に把持部２２を構成し、その上部に鍔部２３を構成する。鍔部２３の上部は係合部３１の内部に収納される部分であり、上部両側に下方に向かって開拡した弾力性を有する２個の係止爪２４が形成されている。
【００１６】
紐体装着部２１の中央部分には縦に溝部２８を削設し、この溝部２８の上端には、紐体固定部２５を設けてある。
この紐体固定部２５は、紐体を巻き付けるための４個の係止片２６を一定間隔ごとに並べてその間に４個の間隙２７を構成してある。
上記係止片２６の個数は任意に選択できる。
【００１７】
上記係合部３１は、上記紐体装着部２１の側方にフレキシブルな連結手段２９によって固定されている。その形状は直方体の下方を狭くして表面視六角形にした形状であり、内部には上記紐体装着部２１を嵌合するための嵌合凹部３２が構成してある。そして、この嵌合凹部３２の下部両側には２個の突起部３３が突設されている。
【００１８】
上記係合部３１の下端には、暗号である多数のドット３６が表面に印刷された、平板状のラベル３５が固定されている。
すなわち、ラベル３５の表面には、直径が０．１ｍｍ以下の微小なドット３６が一定の規則に従った配列パターンで多数印字されていて、この配列パターンが暗号の作用をなすのである。
上記ドット３６は微小であるために、ラベル３５上の配列パターンは無数にできると共に、配列パターンの解析は肉眼では不可能であり専用の赤外線小型カメラ５０を使って読み取るのである。
ここで暗号とは、上記ドット３６のほかにバーコード、数字、文字、図形等、当事者以外には解読できないように構成した記号類を言う。
また、図２に示すように、ラベル３５の裏面には、数字、ローマ字等からなる記号３７が印刷されていて、肉眼での管理も容易にしている。この記号３７はラベル３５の表面にドット３６の上に印刷しても良い。また記号３７は発明の必須要件ではない
【００１９】
ドット３６の配列パターンを読み取るための赤外線小型カメラ５０は図６に示すものであり、本体５１には、図示しないスイッチや検出結果を表示するランプを備え、内部には電池や制御機構を収納し、先端に読み取り用のセンサー５２を備えてなるものである。
【００２０】
次に、上記本実施形態の作用について説明する。
まず、図３に示すように、紐体１５の先端を紐体装着部２１の紐体固定部２５に巻着する。このとき紐体１５を係止片２６、２６の間の間隙２７を通して係止片２６に巻きつけて固定する。
【００２１】
次に図５に示すように、制御機器１０上の、ＲＯＭ１３を収納した基盤１１のケース１２を紐体１５で緊縛してから、その他端を紐体固定部２５あるいは溝部２８に巻きつけて紐体装着部２１に締結して紐体１５の緊縛状態を確実にする。
【００２２】
その後、係合部３１を紐体装着部２１の上から嵌め込んで弾力性を有している係止爪２４、２４を上記嵌合凹部３２内部の突起部３３、３３に嵌め合わせる（図４参照）。これにより、係止爪２４、２４と突起部３３、３３が強固に係合されて、紐体１５の緊縛状態が確実に保持されて制御機器１０の封印が完了する（図５参照）。
【００２３】
一方、検査時にラベル３５上の暗号を確認するには、図６に示すように赤外線小型カメラ５０の先端のセンサー５２をラベル３５のドット３６上をタッチすることにより、センサー５２がドット３６の配列パターンを読み取って、そのラベルの真偽を判別するのである。
【００２４】
次に本発明の第２実施形態を説明する。
図７は第２実施形態の封印機構の正面図（Ａ）と底面図（Ｂ）及び図８は同使用状態の説明図である。
この封印機構４０は、ラベル４５の一側に長尺のベルト４１を固定した構成である。ラベル４５の表面には、暗号である多数のドット３６が印刷され、裏面には記号３７が印刷されている。このドット３６と記号３７は上記第１実施形態のものと同様であるため説明を省略する。
【００２５】
上記ベルト４１は軟質合成樹脂材で作成されていて、表面には一定間隔に多数の溝４２が構成されている。このベルト４１は、孔４４を形成した取付片４３によってラベル４５に取り付けられ、先端４１ａが上記孔４４の内部に突出した状態で固定されている。
【００２６】
本実施形態の封印機構４０の使用時には、図８に示すようにコード５を束ねてベルト４１で巻いて緊縛する。このとき、ベルト４１の先端を取付片４３の孔４４に挿通して、表面の溝部４２をベルト４１の先端４１ａに係合させて緊縛する。この溝部４２とベルト４１の先端４１ａとの係合状態は、いわゆるラチュットと同様の効果を有しているから外れることなく、コード５を確実に縛ることができるのである。
上記以外の、ベルト４１を取付片４３に固定する方法として接着剤を用いることもできる。
【００２７】
本実施形態も図５のように制御装置内で制御機器に対して使用するものであり、第１実施形態と同様の効果を奏するものであり、ラベル４５上のドット３６を読み取る際も前記実施形態と同様に行なうことができる。  
【図面の簡単な説明】
【００２８】
【図１】第１実施形態のロック機構の斜視図
【図２】ラベルの裏面図
【図３】ロック機構の使用状態の説明図
【図４】ロック機構の使用状態の説明図
【図５】封印機構の使用説明図
【図６】暗号の読み取り状態を示す説明図
【図７】第２実施形態の正面図（Ａ）と底面図（Ｂ）
【図８】第２実施形態の使用状態の説明図
【符号の説明】
【００２９】
１０  制御機器
１１  基盤
１２  ケース
１３  ＲＯＭ
１５  緊縛手段（紐体）
２０  ロック機構
２１  紐体装着部
２３  鍔部
２５  紐体固定部
２６  溝部
３１  係合部
３５  ラベル
３６  暗号（ドット）
３７  記号
４０  封印機構
４１  緊縛手段（ベルト）
４５  ラベル
【図１】
2007111337.tif 000003
【図２】
2007111337.tif 000004
【図３】
2007111337.tif 000005
【図４】
2007111337.tif 000006
【図５】
2007111337.tif 000007
【図６】
2007111337.tif 000008
【図７】
2007111337.tif 000009
【図８】
2007111337.tif 000010